(57)【要約】【課題】内蔵の電池や、接続ケーブルを不要にする。【解決手段】操作スイッチＫｊ　（ｊ＝１、２…ｊ）の操作内容をコード化し、電波信号Ｓ１　として本体部に送信する制御部１２と、外部からの電波Ｓ２　を受信する受信アンテナＡｉ　（ｉ＝１、２…ｉ）と、電源部１１とを設ける。電源部１１は、受信アンテナＡｉ　の出力電圧Ｖｉ　（ｉ＝１、２…ｉ）を整流し、電源電圧Ｖｄ　として制御部１２に供給し、制御部１２を作動させることができる。【選択図】　図１
2004135135.tif 000002
【特許請求の範囲】
【請求項１】
本体部を操作する操作スイッチの操作内容をコード化し、電波信号として本体部に送信する制御部と、外部からの電波を受信する受信アンテナと、該受信アンテナの出力電圧により前記制御部を作動させる電源部とを備えてなるリモートコントローラ装置。
【請求項２】
前記受信アンテナは、本体部からの電波を受信することを特徴とする請求項１記載のリモートコントローラ装置。
【請求項３】
前記受信アンテナは、本体部以外からの外来電波を受信することを特徴とする請求項１または請求項２記載のリモートコントローラ装置。
【請求項４】
前記受信アンテナは、それぞれの軸心方向が異なるように配設する複数のループアンテナを組み合わせることを特徴とする請求項１ないし請求項３のいずれか記載のリモートコントローラ装置。
【発明の詳細な説明】
【０００１】
【発明の属する技術分野】
この発明は、外部からの電波を受信することによって作動し、使い勝手を向上させることができるリモートコントローラ装置に関する。
【０００２】
【従来の技術】
テレビ受像機やビデオレコーダ、エアコンディショナなどの電気機器には、赤外線を介して本体部と交信するリモートコントローラが付属しており、これらの電気機器は、リモートコントローラ上の操作スイッチを介して遠隔操作することができる。なお、リモートコントローラには、電源用の電池が内蔵されており、電池が消耗すると、新品の電池を交換補充することが必要である。
【０００３】
一方、一般家庭にも広く普及しているパーソナルコンピュータには、キーボードやマウスと呼ばれる操作機器が付属しており、これらの操作機器は、信号線、電源線を含む接続ケーブルを介してパーソナルコンピュータの本体部と接続されている。そこで、パーソナルコンピュータは、キーボードやマウスを介して任意に操作することができる。テレビゲーム機も同様であり、接続ケーブルを介して専用コントローラを本体部に接続し、専用コントローラ上の操作スイッチを操作してモニタ画面上のゲームを楽しむことができる。
【０００４】
そこで、これらの機器のリモートコントローラ、操作機器、専用コントローラは、それぞれ本体部から分離しており、しかも本体部を任意に操作し得る点で共通しており、本体部に対するリモートコントローラ装置となっている。
【０００５】
【発明が解決しようとする課題】
かかる従来技術によるときは、リモートコントローラ装置は、電源用の電池を内蔵し、または電源線を含む接続ケーブルを介して本体部と接続しなければならないので、前者においては、電池の消耗と、それに伴う厄介な電池の交換補充が必要不可欠であり、後者においては、操作に際して接続ケーブルが邪魔になり、接続ケーブルの接触不良や断線事故などが避けられないという問題があった。
【０００６】
そこで、この発明の目的は、かかる従来技術の問題に鑑み、外部からの電波を受信して作動用の電源電圧を得ることによって、内蔵の電池や、本体部と接続する接続ケーブルに伴う一連の問題を一掃して使い勝手を大きく向上させることができるリモートコントローラ装置を提供することにある。
【０００７】
【課題を解決するための手段】
かかる目的を達成するためのこの発明の構成は、本体部を操作する操作スイッチの操作内容をコード化し、電波信号として本体部に送信する制御部と、外部からの電波を受信する受信アンテナと、受信アンテナの出力電圧により制御部を作動させる電源部とを備えることをその要旨とする。
【０００８】
なお、受信アンテナは、本体部からの電波を受信することができ、本体部以外からの外来電波を受信することができる。
【０００９】
また、受信アンテナは、それぞれの軸心方向が異なるように配設する複数のループアンテナを組み合わせることができる。
【００１０】
【作用】
かかる発明の構成によるときは、受信アンテナは、外部からの電波を受信し、電源部は、受信アンテナの出力電圧により制御部を作動させる。すなわち、制御部は、内蔵の電池や、本体部と接続する接続ケーブルなどを全く必要とせず、受信アンテナと電源部とを介し、外部からの電波を受信して作られる電源電圧により正常に作動させることができる。
【００１１】
受信アンテナは、本体部からの電波を受信することにより、電源部を介して制御部を一層安定に作動させることができる。なお、本体部からの電波は、たとえば１３．５６ＭＨｚ　とし、受信アンテナは、本体部側の送信アンテナに電磁結合させることが好ましい。
【００１２】
受信アンテナは、本体部以外からの外来電波として、たとえば公共放送用のテレビ電波、ラジオ電波、携帯電話の中継用電波などを受信することにより、電源部を介し、制御部を作動させるための電源電圧を作ることができる。ただし、受信アンテナは、利用可能な外来電波のそれぞれに共振させる複数の受信アンテナを組み合わせ、各受信アンテナの出力電圧を統合して利用することが好ましい。また、このときの受信アンテナには、本体部からの電波を受信する受信アンテナを含んでいてもよく、含んでいなくてもよい。
【００１３】
受信アンテナは、軸心方向が異なる複数のループアンテナを組み合わせることにより、外部からの電波の到来方向に拘らず、外部からの電波を効率よく受信することができる。ループアンテナは、一般に、軸心方向に鋭い受信指向性を有するからである。なお、ここでいうループアンテナは、二次元平面内に螺旋状に形成する空心のもの、円柱コア上にコイル状に形成する有心のもののいずれであってもよいものとし、受信アンテナは、これらのいずれか一方のみ、または双方を任意に組み合わせることができる。
【００１４】
【発明の実施の形態】
以下、図面を以って発明の実施の形態を説明する。
【００１５】
リモートコントローラ装置Ｒは、複数の受信アンテナＡｉ　（ｉ＝１、２…ｉ）と、電源部１１、制御部１２とを備えてなる（図１、図２）。ただし、図１、図２のリモートコントローラ装置Ｒは、本体部Ｍを形成するテレビゲーム機の専用コントローラとして構成されている。
【００１６】
受信アンテナＡｉ　は、それぞれ空心または有心のループアンテナであり、それぞれの軸心方向が異なるように、リモートコントローラ装置Ｒ内に組み込んで配設されている。なお、各受信アンテナＡｉ　の軸心方向は、少なくとも二次元方向に異ならせ、好ましくは三次元方向に異ならせるものとする。各受信アンテナＡｉ　には、共振用のコンデンサＣｉ　（ｉ＝１、２…ｉ）が付設され、受信アンテナＡｉ　、コンデンサＣｉ　は、本体部Ｍからの電波Ｓ２　に共振している。
【００１７】
各受信アンテナＡｉ　の非接地側の一端は、電源部１１のダイオードＤｉ　（ｉ＝１、２…ｉ）を介して一括接続され、制御部１２の電源端子Ｖｄｄに接続されている。なお、ダイオードＤｉ　の出力側には、共通の平滑用のコンデンサＣが接続されており、制御部１２の接地端子Ｖｓｓは、直接接地されている。
【００１８】
制御部１２には、本体部Ｍを操作する操作スイッチＫｊ　（ｊ＝１、２…ｊ）が付設されている。なお、操作スイッチＫｊ　は、リモートコントローラ装置Ｒ上において、たとえば２群のジョイスティックスイッチＫ、Ｋとしてまとめられている。また、制御部１２の出力は、送信部１３を介して送信アンテナＢに接続されている。制御部１２は、操作スイッチＫｊ　の操作内容をコード化した上、送信部１３、送信アンテナＢを介し、電波信号Ｓ１　として本体部Ｍに送信することができる。
【００１９】
本体部Ｍには、リモートコントローラ装置Ｒからの電波信号Ｓ１　を受信する受信アンテナＡｍ　が組み込まれている（図３）。受信アンテナＡｍ　には、共振用のコンデンサＣｍ　が付設され、受信アンテナＡｍ　の非接地側の一端は、受信部２１、デコード部２２を介してゲーム機本体２３に接続されている。そこで、電波信号Ｓ１　を介して伝送されるリモートコントローラ装置Ｒの操作スイッチＫｊ　の操作内容は、デコード部２２によって解読され、ゲーム機本体２３を任意に操作することができる。なお、本体部Ｍには、送信アンテナＢｍ　を介して電波Ｓ２　を発信する送信部２４が組み込まれている。
【００２０】
リモートコントローラ装置Ｒにおいて、各受信アンテナＡｉ　は、本体部Ｍからの電波Ｓ２　を受信する。一方、電源部１１は、ダイオードＤｉ　を介して各受信アンテナＡｉ　の出力電圧Ｖｉ　（ｉ＝１、２…ｉ）を整流し、電源電圧Ｖｄ　として制御部１２の電源端子Ｖｄｄに供給して制御部１２を正常に作動させる。そこで、操作者は、リモートコントローラ装置Ｒ上の操作スイッチＫｊ　を操作することにより、本体部Ｍの図示しないモニタ画面上のゲームを楽しむことができる。なお、複数の受信アンテナＡｉ　は、それぞれの軸心方向が異なるように配設されているため、本体部Ｍに対するリモートコントローラ装置Ｒの相対姿勢に拘らず、少なくとも１組が本体部Ｍからの電波Ｓ２　を良好に受信することができ、制御部１２を安定に作動させることができる。
【００２１】
【他の実施の形態】
本体部Ｍは、異なる周波数の２波以上の電波信号Ｓ１　、Ｓ１　…を受信可能としてもよい。各周波数の電波信号Ｓ１　を発信する複数のリモートコントローラ装置Ｒ、Ｒ…を介し、複数の操作者が同時に本体部Ｍのゲームを楽しむことができる。
【００２２】
また、リモートコントローラ装置Ｒの受信アンテナＡｉ　は、その一部または全部を本体部Ｍ以外からの外来電波に共振させ、本体部Ｍ以外からの外来電波を受信するようにしてもよい。ただし、このときの外来電波は、特定の１波に限定してもよく、２波以上を選択してもよい。
【００２３】
以上の説明において、本体部Ｍ、リモートコントローラ装置Ｒは、テレビゲーム機と、その専用コントローラとする他、テレビ受像機を含む任意の電気機器と、そのリモートコントローラとしてもよく、パーソナルコンピュータと、それを操作するキーボード、マウスなどの操作機器としてもよい。すなわち、この発明は、本体部Ｍから分離し、本体部Ｍを操作する任意のリモートコントローラ装置に広く適用することができる。
【００２４】
【発明の効果】
以上説明したように、この発明によれば、制御部と、受信アンテナと、電源部とを設けることによって、制御部は、操作スイッチの操作内容を電波信号として本体部に送信し、電源部は、外部からの電波を受信する受信アンテナの出力電圧により制御部を作動させるから、電源用の電池を内蔵させたり、接続ケーブルを介して本体部と接続したりする必要が全くなく、電池や接続ケーブルに伴う一連の問題を一掃して、使い勝手を大きく向上させることができるという優れた効果がある。
【図面の簡単な説明】
【図１】全体構成ブロック構成図
【図２】使用状態概念図
【図３】本体部のブロック構成図
【符号の説明】
Ｒ…リモートコントローラ装置
Ｍ…本体部
Ｋｊ　（ｊ＝１、２…ｊ）…操作スイッチ
Ａｉ　（ｉ＝１、２…ｉ）…受信アンテナ
Ｓ１　…電波信号
Ｓ２　…電波
【図１】
2004135135.tif 000003
【図２】
2004135135.tif 000004
【図３】
2004135135.tif 000005